(57)【要約】【課題】定格運転時の燃焼温度をシンプルサイクルにおける定格燃焼温度とすると、圧縮機の回転数が定格回転数と比べて過回転となる２軸ガスタービンにおいて、ガスタービンの効率を損ねることなく、圧縮機駆動力と高圧タービン出力をバランスさせて信頼性を高めた２軸ガスタービンを提供する。【解決手段】定格運転時の燃焼温度を、シンプルサイクルにおける定格燃焼温度とすると、圧縮機１の回転数が定格回転数と比べて過回転となる場合に、タービンを駆動する作動流体の一部を、ガスパスに流入させる前に分岐させ、冷却媒体として利用する。【選択図】  図１
2010209808.tif 000002
【特許請求の範囲】
【請求項１】
空気を圧縮する圧縮機と、
該圧縮機で圧縮された空気と燃料とを燃焼させて燃焼ガスを生成する燃焼器と、
該圧縮機と同軸に接続され、該燃焼器で生成された燃焼ガスにより駆動する高圧タービンと、
該高圧タービンからの排ガスにより駆動する低圧タービンとを備え、
該高圧タービンと該低圧タービンとをそれぞれ独立した軸構造とした、２軸ガスタービンの運転方法において、
定格運転時の燃焼温度を、シンプルサイクルにおける定格燃焼温度とすると、圧縮機の回転数が定格回転数と比べて過回転となる場合に、
タービンを駆動する作動流体の一部を、ガスパスに流入させる前に分岐させ、冷却媒体として利用することを特徴とする２軸ガスタービンの運転方法。
【請求項２】
空気を圧縮する圧縮機と、
該圧縮機で圧縮された空気を含む作動流体の流量を増加させる流量増加手段と、
該増加した作動流体と燃料とを燃焼させて燃焼ガスを生成する燃焼器と、
該圧縮機と同軸に接続され、該燃焼器で生成された燃焼ガスにより駆動する高圧タービンと、
該高圧タービンからの排ガスにより駆動する低圧タービンとを備え、
該高圧タービンと該低圧タービンとをそれぞれ独立した軸構造とした２軸ガスタービンにおいて、
該流量増加手段で流量を増加された作動流体の一部を、該燃焼器に供給される前に分岐してタービンの被冷却部に導く分岐流路を備えたことを特徴とする２軸ガスタービン。
【請求項３】
空気を圧縮する圧縮機と、
該圧縮機で圧縮された空気を含む作動流体の流量を増加させる加湿装置と、
該加湿装置で流量が増加した作動流体と該低圧タービンを駆動した排ガスとを熱交換させる再生熱交換器を備え、
該増加した作動流体と燃料とを燃焼させて燃焼ガスを生成する燃焼器と、
該圧縮機と同軸に接続され、該燃焼器で生成された燃焼ガスにより駆動する高圧タービンと、
該高圧タービンからの排ガスにより駆動する低圧タービンとを備え、
該高圧タービンと該低圧タービンとをそれぞれ独立した軸構造とした２軸ガスタービンにおいて、
該加湿装置で流量を増加された作動流体の一部を、該燃焼器に供給される前に分岐してタービンの被冷却部に導く第一の分岐流路を備えたことを特徴とする２軸ガスタービン。
【請求項４】
請求項３に記載の２軸ガスタービンにおいて、
該加湿装置で質量が増加した作動流体を該再生熱交換に流入する前に分岐する第二の分岐流路を有し、
該タービン被冷却部に流入する前に、該第一の分岐流路と該第二の分岐流路からの流体を混合させる冷媒混合器とを有することを特徴とする２軸ガスタービン。
【請求項５】
請求項１−４に記載の２軸ガスタービンにおいて、
該第一の分岐流路を流れる流体の流量を調節する流量調節機構を有することを特徴とする２軸ガスタービン。
【請求項６】
請求項１−５に記載の２軸ガスタービンにおいて、
該タービン被冷却部とは、該高圧タービンの翼であることを特徴とする２軸ガスタービン。
【請求項７】
請求項１−６に記載の２軸ガスタービンにおいて、
該圧縮機と高圧タービンと同軸で該圧縮機側に、負荷を有することを特徴とする２軸ガスタービン。
【請求項８】
請求項５に記載の２軸ガスタービンにおいて、
該燃焼器に供給される燃料の流量に基づいて該流量調節機構を制御する制御装置を備えたことを特徴とする２軸ガスタービン。
【請求項９】
請求項４に記載の２軸ガスタービンにおいて、
高圧タービンの回転体の高温部に流体を供給する第一の冷媒混合器と、高圧タービンの静止体の高温部に流体を供給する第二の冷媒混合器とを有することを特徴とする２軸ガスタービン。
【請求項１０】
空気を圧縮する圧縮機と、
該圧縮機で圧縮された空気を含む作動流体の流量を増加させる流量増加手段と、
該増加した作動流体と燃料とを燃焼させて燃焼ガスを生成する燃焼器と、
該燃焼器に蒸気を供給する蒸気注入手段と
該圧縮機と同軸に接続され、該燃焼器で生成された燃焼ガスにより駆動する高圧タービンと、
該高圧タービンからの排ガスにより駆動する低圧タービンとを備え、
該高圧タービンと該低圧タービンとをそれぞれ独立した軸構造とした２軸ガスタービンにおいて、
該蒸気注入手段から該燃焼器に供給される蒸気の一部を、該燃焼器に供給される前に分岐してタービンの被冷却部に導く分岐流路を備えたことを特徴とする２軸ガスタービン。
【請求項１１】
空気を圧縮する圧縮機と、
空気を酸素と窒素に分解する空気分離器と、
該空気分離器で分離された酸素と石炭とから石炭ガス化ガスを生成するガス化炉と、
該ガス化炉で生成された石炭ガス化ガスと該圧縮機で圧縮された空気とを燃焼させて燃焼ガスを生成する燃焼器と、
該ガス化炉で生成された窒素を該燃焼器に注入する窒素注入経路と、
該圧縮機と同軸に接続され、該燃焼器で生成された燃焼ガスにより駆動する高圧タービンと、
該高圧タービンからの排ガスにより駆動する低圧タービンとを備え、
該高圧タービンと該低圧タービンとをそれぞれ独立した軸構造とした２軸ガスタービンにおいて、
該窒素注入経路を流れる窒素の一部を分岐してタービンの被冷却部に導く分岐流路を備えたことを特徴とする２軸ガスタービン。
【請求項１２】
空気を圧縮する圧縮機と、
該圧縮機で圧縮された空気と燃料とを燃焼させて燃焼ガスを生成する燃焼器と、
該圧縮機と同軸に接続され、該燃焼器で生成された燃焼ガスにより駆動する高圧タービンと、
該高圧タービンからの排ガスにより駆動する低圧タービンとを備え、
該高圧タービンと該低圧タービンとをそれぞれ独立した軸構造とした２軸ガスタービンにおいて、
該燃料は低カロリーガスであり、
該圧縮機で圧縮された空気の一部を、該燃焼器に供給される前に分岐してタービンの被冷却部に導く分岐流路を備えたことを特徴とする２軸ガスタービン。
【発明の詳細な説明】
【技術分野】
【０００１】
本発明は、圧縮機駆動用高圧タービンと出力用低圧タービンが別軸に構成されており、シンプルサイクルに比べて燃焼器に流入する流体の流量が増加するガスタービンシステム、例えば高湿分空気利用システム，蒸気注入システム，窒素注入システム，低カロリー燃料焚きシステムなどに適用した２軸ガスタービンに関する。
【背景技術】
【０００２】
圧縮機を駆動する高圧タービンと、発電機やポンプ等を駆動する低圧タービンが別軸構成となっている２軸ガスタービンが、例えば特許文献１に公開されている。
【０００３】
２軸ガスタービンは、ポンプやスクリュー圧縮機などの被駆動機の回転数が低い場合でも、圧縮機と高圧タービンを高速回転させることが可能となるため、低圧タービンの低回転数域でのトルクを大きくすることができる。そのため、２軸ガスタービンはポンプやスクリュー圧縮機などの機械駆動用として用いられるが、低圧タービンで発電機を駆動する発電用として用いることも可能であり、減速機なしで使用する場合には、圧縮機を高速回転させることで高効率化が図れる利点がある。また、減速機を使用する場合でも、減速比を小さくできるため、コスト低減，効率向上に利点がある。
【０００４】
一方、ガスタービン作動流体（たとえば空気）に水分を添加して加湿し、この加湿空気によってガスタービン排ガスの持つ熱エネルギーを回収することで、出力および効率の向上を図る高湿分利用ガスタービンシステムが特許文献２に公開されている。
【先行技術文献】
【特許文献】
【０００５】
【特許文献１】特開平５−１８２７１号公報
【特許文献２】ＷＯ００／２５００９号公報
【発明の概要】
【発明が解決しようとする課題】
【０００６】
高湿分利用ガスタービンシステムは、圧縮機出口の高圧空気中に加湿することによりタービン出力を増加させるものであるが、２軸ガスタービンに適用すると圧縮機を駆動する高圧タービンの出力が大きくなり、そのままでは圧縮機を過大回転させることになる。圧縮機の過大回転は、圧縮機および高圧タービンの翼共振および軸振動と共振して回転部品の破損を招く可能性があり好ましくない。
【０００７】
上述した圧縮機の過大回転の防止として、燃料流量を減少させて圧縮機の回転数を所定の値に制御する方法が考えられるが、タービン入口温度の低下によりガスタービンの効率が低下し、高湿分利用システムによる効率向上効果が削減されてしまう。
【０００８】
また、上述した圧縮機の過大回転の防止として、圧縮機出口の高圧空気の一部を大気中に放風して圧縮機を駆動する高圧タービンの出力増加を抑制する方法があるが、圧縮動力を費やした高圧空気を大気へ放出する分ガスタービンシステムの効率低下につながる。この圧縮機で昇圧した作動流体は、効率向上の点からタービン上流側に導入してタービン膨張仕事に利用することが望ましい。
【０００９】
さらに、圧縮機の過大回転を防止する策として、湿分添加時に高圧タービンと低圧タービンの負荷配分が最適となるように、予め設定しておく方法も考えられる。しかし、起動時など湿分を添加していないときには、逆に高圧タービンの出力が圧縮機駆動に必要な動力よりも小さいため、圧縮機が過小回転となる。圧縮機の過小回転は、過大回転の場合と同様、圧縮機および高圧タービンの翼振動および軸振動と共振して回転部品の破損につながることに加え、回転数一定制御のガスタービンでは燃料流量が増加することによる圧力比の増加と作動流体の流量の減少、圧縮効率の低下で圧縮機がサージングを引き起こす可能性があるため好ましくない。
【００１０】
本発明の目的は、定格運転時の燃焼温度をシンプルサイクルにおける定格燃焼温度とすると、圧縮機の回転数が定格回転数と比べて過回転となる２軸ガスタービンにおいて、ガスタービンの効率を損ねることなく、圧縮機駆動力と高圧タービン出力をバランスさせて信頼性を高めた２軸ガスタービンを提供することである。
【課題を解決するための手段】
【００１１】
上記目的を達成するために、本発明の２軸ガスタービンは、空気を圧縮する圧縮機と、該圧縮機で圧縮された空気と燃料とを燃焼させて燃焼ガスを生成する燃焼器と、該圧縮機と同軸に接続され、該燃焼器で生成された燃焼ガスにより駆動する高圧タービンと、該高圧タービンからの排ガスにより駆動する低圧タービンとを備え、該高圧タービンと該低圧タービンとをそれぞれ独立した軸構造とした、２軸ガスタービンの運転方法において、定格運転時の燃焼温度を、シンプルサイクルにおける定格燃焼温度とすると、圧縮機の回転数が定格回転数と比べて過回転となる場合に、タービンを駆動する作動流体の一部を、ガスパスに流入させる前に分岐させ、冷却媒体として利用する。
【発明の効果】
【００１２】
本発明によれば、定格運転時の燃焼温度をシンプルサイクルにおける定格燃焼温度とすると、圧縮機の回転数が定格回転数と比べて過回転となる２軸ガスタービンにおいて、ガスタービンの効率を損ねることなく、圧縮機駆動力と高圧タービン出力をバランスさせて信頼性を高めた２軸ガスタービンを提供することができる。
【図面の簡単な説明】
【００１３】
【図１】本発明の実施例１である高湿分利用ガスタービンのシステム構成図。
【図２】本発明の実施例２である高湿分利用ガスタービンのシステム構成図。
【図３】本発明の実施例３である高湿分利用ガスタービンのシステム構成図。
【図４】本発明の実施例４である高湿分利用ガスタービンのシステム構成図。
【図５】比較例である高湿分利用２軸ガスタービンのシステム構成図。
【図６】本発明の実施例５である２軸ガスタービンのシステム構成図。
【図７】本発明の実施例６である２軸ガスタービンのシステム構成図。
【図８】本発明の実施例７である２軸ガスタービンのシステム構成図。
【発明を実施するための形態】
【００１４】
本発明は特に、定格運転時の燃焼温度をシンプルサイクルにおける定格燃焼温度とすると、圧縮機の回転数が定格回転数と比べて過回転となる２軸ガスタービンに関するものである。以下各実施例にて説明するが、例えば、加湿により作動流体である空気が加湿されて作動流体の流量が増える高湿分利用ガスタービンや、余剰蒸気や窒素を燃焼器や作動媒体に注入するガスタービン、通常用いられる天然ガスよりも発熱量が少ない低カロリーガス焚きガスタービンなどがこれに相当する。
【実施例１】
【００１５】
図１を用いて、本発明の実施例１である２軸ガスタービンを適用した高湿分利用ガスタービンシステムについて説明する。図１は本発明の実施例である高湿分利用２軸ガスタービンの全体構成を示すシステム構成図である。
【００１６】
発電用の高湿分利用ガスタービンは、圧縮機１，燃焼器２，高圧タービン３Ｈ，低圧タービン３Ｌ，加湿装置５，再生熱交換器６から構成され、低圧タービン３Ｌの出力により発電機７を回転させて発電する。圧縮機１と高圧タービン３Ｈは同一軸２０Ｈで連結され、その回転数は等しい。低圧タービン３Ｌと発電機７も同一軸２０Ｌで連結され、その回転数は等しい。あるいは、低圧タービン３Ｌと発電機７は図示されていない減速機を介して連結されていても良く、その場合は低圧タービンの回転数は発電機の回転数に対し、減速機の持つ減速比分だけ大きくなる。高圧タービン側と低圧タービン側の軸２０Ｈ，２０Ｌは連結されていない。そのため、圧縮機１の回転数と低圧タービン３Ｌの回転数は自由に設定でき、それぞれの回転数が異なっても運転可能である。
【００１７】
このような２軸ガスタービンは、被駆動機の回転数が低い場合でも圧縮機１と高圧タービン３Ｈを高速回転させられるため、低圧タービン３Ｌの低回転数域でのトルクを大きくすることができる。そのため発電用だけでなく、ポンプやスクリュー圧縮機などの駆動にも広く用いることができる。
【００１８】
次に、実施例１である高湿分利用ガスタービンの作動流体の流れについて説明する。大気空気１００が圧縮機１で圧縮される。圧縮機１で生成された高圧空気１０１は圧縮機１のガスパス出口から全流量抽気される。圧縮機１のガスパス出口から抽気された高圧空気１０１は冷却器４で冷却される。冷却器４で冷却された高圧空気１０２は、冷却器４で加熱された水３０３と、給水加熱器２２で加熱された水３０５とを用いて加湿装置５で加湿される。加湿装置５で加湿された湿分空気１０３の大部分は再生熱交換器６に供給される。湿分空気１０３の一部は、高圧タービン３Ｈの高温部冷却用の冷媒の流路１１０に設けられた冷媒混合器４１，４２に供給される。
【００１９】
再生熱交換器６に供給された湿分空気１０３は、低圧タービン３Ｌからの排気ガス１０７との熱交換により過熱され高温湿分空気１０４となる。そして、再生熱交換器６において過熱された高温湿分空気１０４の大部分は、湿分空気として燃焼器２に供給される。
【００２０】
一方、冷媒混合器４１，４２は、加湿装置５で加湿された湿分空気の一部と、再生熱交換器６で過熱された高温湿分空気の一部とを混合し、高圧タービン３Ｈの高温部の冷却に最適な冷媒を生成する。燃焼器２に供給された高温湿分空気１０４は、燃焼器２で燃料と混合燃焼する。そして、燃焼器２で生成された燃焼ガス１０５は高圧タービン３Ｈに供給され、高圧タービン３Ｈを回転駆動させる。高圧タービン３Ｈ内のガスパスでは、高圧タービン３Ｈに供給される燃焼ガスと、高圧タービンの高温部を冷却した、流路１１２，１１３を流れた冷却空気とが合流する。合流した冷却空気は燃焼ガスと伴に高圧タービンから排気ガス１０６として排出される。
【００２１】
そして、高圧タービン３Ｈを出た高圧のタービン排気ガス１０６は、低圧タービン３Ｌへ供給され低圧タービン３Ｌで再膨張して低圧のタービン排気ガス１０７となる。低圧タービン排気ガス１０７は再生熱交換器６で熱回収された後、給水加熱器２２，排ガス再過熱器２３，水回収装置２４を経て、排気ガス１０９として排気塔２５から排気される。
【００２２】
高湿分利用ガスタービンサイクルの効率向上効果を排気ガスの側から見ると、再生熱交換器６および給水加熱器２２で熱エネルギーが回収された結果、効率が向上し、排気塔２５から排気される熱エネルギーが減って排気ガスの温度は低くなる。
【００２３】
高圧タービン３Ｈで得られた駆動力は高圧タービン３Ｈと圧縮機１の連結軸２０Ｈを通じて圧縮機１に伝えられ、空気の加圧に用いられる。また、低圧タービン３Ｌで得られた駆動力は低圧タービン３Ｌと発電機７との連結軸２０Ｌを通じて発電機７に伝えられ、発電機７で駆動力を電気的エネルギーに変換する。低圧タービン３Ｌによって駆動される負荷機器は、ポンプやスクリュー圧縮機など、発電機以外の機械であっても良い。
【００２４】
次に、水の循環系統について説明する。水回収装置２４は、排ガス再加熱器２３から排出された排ガスを冷却水で冷却し、湿分を凝縮させて水分を回収する。水回収装置２４から排出された水３０１は再び冷却器２１へ供給されるとともに、水処理装置２６にも供給される。水処理装置２６より処理された水３０２は、圧縮機１から抽気された高圧空気１０１を冷却する冷却器４に供給される。冷却器４に供給された水は冷却器で加熱され、加熱された水３０３が加湿装置５に供給される。この加湿装置５では、冷却器から供給された高圧空気１０２に加湿するために水を使用し、使用後の水は再び冷却器に供給されるとともに、給水加熱器２２にも供給される。給水加熱器２２では、再生熱交換器６で熱回収した後の排気ガス１０８を熱源として加湿装置５から排出された給水循環系の水３０４を加熱して加熱水３０５を生成する。この加熱水３０５を加湿装置５に供給する。このように加湿装置には、冷却器４からだけではなく給水加熱器２２からも加熱された水が加湿装置に供給されている。
〔比較例〕
【００２５】
ここで、図５を用いて、比較例である高湿分利用２軸ガスタービンシステムについて説明する。図５はシンプルサイクルの２軸ガスタービンに高湿分利用ガスタービンシステムを適用した場合のシステム構成図である。
【００２６】
図１と共通する再生熱交換器６よりも下流の排気ガス系統図は省略してある。まず、加湿装置５に供給される水分流量がゼロの場合について説明する。このケースは再生サイクルに相当する。圧縮機１と高圧タービン３Ｈの間での作動流体の流量バランスは、２軸ガスタービンのシンプルサイクルの場合と同じである。その動力バランスもシンプルサイクルと同等である。この場合、定格回転数かつ定格燃焼温度の条件で、圧縮機１と高圧タービン３Ｈの動力がバランスするように設計されている。そして、高圧タービン３Ｈの高温部の冷却空気４０１，４０２は、圧縮機１の中間段から抽気され、配管を介して高圧タービン３Ｈ側へ供給される。このときの圧縮機１の抽気段は、圧縮機側とタービン側の差圧分に対応可能な程度に高圧の空気を確保できるように設定されている。
【００２７】
この状態から、加湿装置５に供給される水分流量が高湿分利用ガスタービンシステムにおける所定の流量まで増加した場合、湿分添加により流量が増加した作動流量の全量は燃焼器２へ供給され、燃焼して燃焼ガスとなり高圧タービン３Ｈを駆動する。この場合、シンプルサイクルと比較して高圧タービン３Ｈの出力が増大して圧縮機１が過回転になる。圧縮機１の過大回転は、圧縮機１および高圧タービン３Ｈの翼共振および軸振動と共振して回転部品の破損を招く可能性があり好ましくない。
【００２８】
湿分添加による圧縮機１の過回転を抑制するために、燃焼器２に供給する燃料流量２００を少なくする方法がある。しかし、燃料流量の低減は定格燃焼温度よりも低い燃焼温度で圧縮機１と高圧タービン３Ｈの動力をバランスさせることになり、ガスタービンの効率が低下してしまう。そうなると２軸ガスタービンを用いて高湿分利用ガスタービンシステムを構成しても、期待される効率向上効果を得ることができない。
【００２９】
また、上述した圧縮機１の過大回転の防止策として、圧縮機出口の高圧空気の一部を大気中に放風して圧縮機１を駆動する高圧タービン３Ｈの出力増加を抑制する方法がある。しかし圧縮動力を費やした高圧空気を大気へ放出する分、ガスタービンシステムの効率低下につながる。更に、加湿装置５へ供給する高圧空気の流量、および再生熱交換器６へ供給される湿分空気流量も低減してしまう。その結果、再生熱交換器６で低圧タービンの排気ガス１０７との熱交換量も低下し、高湿分利用ガスタービンシステムで期待される効率向上効果が小さくなってしまう。このように効率向上の点から考えると、圧縮機１で昇圧した作動流体は低圧タービンの排熱を回収した後、高圧タービンの上流側に導入してタービン膨張仕事に利用することが望ましいといえる。
【００３０】
さらに、上述した圧縮機の過大回転の防止として、湿分添加時に高圧タービン３Ｈと低圧タービン３Ｌの負荷配分が最適となるように、予め設定しておく方法も考えられる。しかし、起動時など湿分を作動流体中に添加していないときには、逆に高圧タービン３Ｈの出力が圧縮機駆動に必要な動力よりも小さくなってしまい、圧縮機１が過小回転となる。圧縮機１の過小回転は、過大回転の場合と同様、圧縮機１および高圧タービン３Ｈの翼振動および軸振動と共振して回転部品の損傷を招く虞がある。それに加え、回転数一定制御のガスタービンでは、燃料流量が増加することによる圧力比の増加と作動流体の流量の減少，圧縮効率の低下で、圧縮機１がサージングを引き起こす可能性があるため好ましくない。サージングとは、圧力比を上げていくと、ある圧力比において急に強い音響を伴う圧力と流れの激しい脈動と機械の振動を引き起こし、運転が不安定になる現象である。
【００３１】
また、高湿分利用ガスタービンシステムを適用した２軸ガスタービンは、シンプルサイクル用に設計された２軸ガスタービンに対してタービン入口温度が相違する。そのため、両者の構成機器、特に高温部品であるタービン翼は高湿分利用ガスタービン専用とせざるを得ず、シンプルサイクル用のタービン翼と共通化できない。
【００３２】
次に、実施例１であるガスタービンの、特徴的な部分について説明する。まず、加湿装置５から再生熱交換器６へ供給される湿分空気１０３の一部を、分岐流路１１０を介して高圧タービン３Ｈの高温部の冷却空気として利用する場合を考える。
【００３３】
この場合、高圧タービン３Ｈの高温部の冷却空気として、加湿装置出口の湿分空気１０３の一部を利用する。圧縮機１の中間段から抽気した空気を利用するのではないため、圧縮機１で吸気した大気空気の全流量が昇圧され、圧縮機１の駆動力は増加する。この駆動力と高圧タービン３Ｈの出力をバランスさせるために、再生熱交換器６から燃焼器２へ供給される湿分空気１０４の一部を分岐流路によって分岐させ、分岐流路に設けられた流量調節機構３２の制御を行う。高温湿分空気１０４を流れる作動流体のうち、この制御された分岐流量分が、冷却空気として利用される。高温湿分空気は分岐流路１１１を通じて、高圧タービン３Ｈの高温部の冷却媒体流路に設けられた冷媒混合器４１，４２に導入される。
【００３４】
本実施例のガスタービンはこのように、定格運転時の燃焼温度をシンプルサイクルにおける定格燃焼温度とすると、圧縮機１の回転数が定格回転数と比べて過回転となる場合に、高圧タービン３Ｈを駆動する作動流体である高温湿分空気１０４の一部を、ガスパスに流入させる前に分岐させ、高圧タービン３Ｈの翼などの高温部冷却用の冷却媒体として利用するよう構成している。具体的には、圧縮機１で圧縮された圧縮空気を含む作動流体の質量流量を増加させる質量増加手段である加湿装置５を有し、加湿装置５で流量を増加された作動流体である高温湿分空気１０４を、燃焼器２の手前で流路１１１に分岐している。
【００３５】
このような構成とすることで、圧縮機１の駆動力と高圧タービン３Ｈの出力をバランスさせ、かつ燃焼温度も定格温度に保持することが可能となる。そのため、ガスタービンの効率を高くすることができる。また、加湿装置５から高圧タービン３Ｈへ供給される流路１１０を流れる冷却空気、および再生熱交換器６から分岐して冷媒混合器４１，４２に導入される流路１１１を流れる高温湿分空気が高圧タービンの高温部を冷却する。冷却媒体は高圧タービン３Ｈのガスパス中で燃焼ガス１０５と混合されるため、高温部冷却後も保有し続ける圧力エネルギーは、最終的に低圧タービン３Ｌの膨張仕事で回収される。そのため、例えば圧縮機駆動力と高圧タービン３Ｈをバランスさせるために、圧縮機１の吐出空気の一部を大気中へ放風する場合に比べて、圧縮機１で大気の圧縮に費やした圧縮動力を無駄にすることなく有効利用できる。
【００３６】
そして、本実施例のように構成することで、２軸ガスタービンに高湿分利用ガスタービンシステムを適用した場合でも、圧縮機１の過大回転や過小回転を抑制しつつ、圧縮機駆動力と高圧タービン出力をバランスさせて２軸ガスタービンを安定に運転することができる。そして、回転部品の翼振動および軸振動に対する信頼性を高め、部品寿命を長くすることもできる。
【００３７】
また、タービン入口温度はシンプルサイクルで想定した温度に保持できるため、高湿分利用ガスタービンシステムを適用することによるガスタービンの効率向上効果を２軸ガスタービンでも享受可能となる。
【００３８】
さらに、高圧タービン３Ｈの高温部の冷却に高湿分空気を利用しているため、翼表面のメタル温度の制限値に余裕ができて、高温部品であるタービン翼の信頼性を確保できる。場合によっては、高級材料を用いたタービン翼を用いる必要がなくなるため、コストダウンも期待できる。湿分空気は通常の空気に比べて熱伝達率が大きく、冷却性能が向上するからである。
【００３９】
そして、加湿装置５からの湿分空気１０３を直接タービン翼冷却に適用しないで、再生熱交換器６から燃焼器２へ供給される高温湿分空気の一部と冷媒混合器４１，４２で混合している。すなわち、タービン被冷却部である高圧タービン３Ｈに流入する前に、第一の分岐流路である流路１１１と第二の分岐流路である流路１１０からの流体を混合させる冷媒混合器４１，４２とを有している。これにより、翼冷却過程における冷却媒体の凝縮を抑制できる。冷却媒体の飽和蒸気量が実際に冷却媒体に含まれる蒸気量を下回ると、飽和蒸気量が上回った分の冷却媒体に含まれる蒸気は気体では存在できず、凝縮して液体に相変化する。この凝縮した液滴が高圧タービンの翼冷却内部流路を流れると、高速で浮遊する液滴により局所的に内部流路は衝撃を受ける。また、凝縮した液滴が再度流路内部で蒸発すると、蒸発潜熱により局所的に急冷され熱応力が大きくなり翼の信頼性が低下する。そのため、高圧タービン３Ｈの各段落の冷却媒体経路に冷媒混合器を配備して、そこへ再生熱交換器６からの高温湿分空気１０４の一部を供給することで、各段落で最適な冷却空気条件に設定することが可能となる。冷却媒体の凝縮を抑制することで、ガスタービンの信頼性を確保することができる。
【００４０】
また、高圧タービン３Ｈや低圧タービン３Ｌを、シンプルサイクルと他のサイクル（高湿分利用ガスタービンシステム等）で共通にできるため、高温部品であるタービン翼の開発・製作コスト，部品管理コストを低減できる。さらに、設計開発に労力，コスト，期間がかかるタービン翼を共通化して、高湿分利用ガスタービンシステムや蒸気注入ガスタービンシステムなど、出力，効率の異なる製品ラインナップをそろえることが可能である。そのため、タービン翼の寿命などの信頼性評価を一元的に行うことができ、より信頼性の高い製品群が構築できる。なお本実施例では、分岐した流体を高圧タービン３Ｈ高温部に供給する例を説明したが、冷却を必要とする部分であれば、これ以外を分岐流体の供給先としても、圧縮機と高圧タービンのバランスを取りガスタービンの信頼性向上効果を得ることができる。
【実施例２】
【００４１】
次に、図２を用いて本発明の実施例２について説明する。図２は本発明の実施例２である高湿分利用２軸ガスタービンの全体構成を示すシステム構成図であり、図１と共通する再生熱交換器６よりも下流の排気ガス系統図は省略してある。
【００４２】
図２において、図１と異なる点は、圧縮機１と高圧タービン３Ｈの連結軸２０Ｈと同軸の圧縮機側に、発電機８などの負荷を設けたことである。ガスタービンでは、燃焼温度を上げることと、タービン高温部を冷却する冷却空気量を低減させることによる効率向上に対する寄与が特に大きい。前述した実施例１のガスタービンでは、高圧タービン３Ｈの高温部の冷却空気は加湿装置５から再生熱交換器６へ供給される湿分空気１０３の一部と、再生熱交換器６から燃焼器２へ供給される高温湿分空気１０４の一部を冷媒混合器４１，４２で混合させた冷媒を用いている。高圧タービン３Ｈの高温部を湿分を含んだ冷媒で冷却するため、通常の圧縮空気で冷却する場合に比べて冷却効率を向上でき、冷却空気量を低減することができる。これはガスタービンの効率を向上できる一方、高圧タービンの出力の上昇に繋がる。
【００４３】
また、圧縮機駆動力と高圧タービン３Ｈの出力をバランスさせるために冷却空気量を増加させた場合、高圧タービン３Ｈの高温部材のメタル温度は、シンプルサイクル運転時の高温部材のメタル温度よりも低くなり、許容メタル温度に対して十分な余裕ができる。そこで、ガスタービンの高効率化のため、燃焼温度を増加させて高温部材のメタル温度をシンプルサイクル運転時と同程度まで増加させることが考えられる。この燃焼温度の増加も効率向上するが、高圧タービンの出力上昇に繋がる。このように、冷却空気量の低減や、燃焼温度の増加によって、高圧タービン３Ｈの出力は増加する。
【００４４】
実施例２のガスタービンでは、この高圧タービン３Ｈの出力増加に対応するように高圧タービンの出力と圧縮機駆動力をバランスさせるため、圧縮機１側に発電機８などの負荷機器を設置する。これにより高圧タービンの出力の一部が発電機で消費されるため、圧縮機１の過大回転を抑制しつつ、高湿分利用ガスタービンの効率向上と信頼性を確保することができる。
【００４５】
ただし、圧縮機側に発電機などの負荷機器を設置すると、機器構造の複雑化およびコスト増大を招く場合もある。そのため、発電機を設けるよりも、再生熱交換器６から燃焼器２へ供給する高温湿分空気の分岐流路１１１に設けた流量調節機構３２を制御することで圧縮機１の駆動力と高圧タービン３Ｈの出力とをバランスさせることが望ましい。この流量調節機構３２の制御は、燃焼器２に供給される燃料の流量に基づいて、制御装置３０で行うようにしてもよい。
【００４６】
なお、本実施例では、発電機などの負荷機器としているが、高圧タービンの出力を消費できる機器であれば、同様の効果を得ることができる。
【実施例３】
【００４７】
次に、図３を用いて、本発明の実施例３について説明する。図３は本発明の実施例３である高湿分利用２軸ガスタービンの全体構成を示すシステム構成図であり、図２と同様に再生熱交換器よりも下流の排気ガス系統図は省略してある。
【００４８】
図３において、図２と異なる点は、高圧タービン３Ｈの高温部の冷却に加えて、低圧タービン３Ｌの高温部に対しても冷却空気を導入していることである。
【００４９】
ガスタービンの高効率化のため燃焼温度を上げた場合、高圧タービンの排気ガス１０６の温度も上昇するため低圧タービン３Ｌの最上流側に位置する静翼のメタル温度やホイールスペース温度が上昇して冷却空気を供給する必要性が生じる。
【００５０】
そこで、高圧タービンの高温部の冷却に加えて、低圧タービンの高温部に対しても加湿装置５から再生熱交換器６へ供給される湿分空気１０３の一部を冷却媒体として供給し、その冷却媒体供給流路１１０に冷媒混合器４３を設けている。そして、再生熱交換器６から燃焼器２へ供給される高温湿分空気１０４の一部を、低圧タービン３Ｌの高温部の冷却用に設けられた冷媒混合器４３へ導入できる分岐流路１１１を設けている。
【００５１】
本実施例のガスタービンでは、再生熱交換器６から燃焼器２へ供給される高温湿分空気の一部を低圧タービンの高温部へ導入するので、燃焼温度を上げた場合の高圧タービン３Ｈの出力増加を抑制することが可能であり、圧縮機の駆動力と高圧タービン出力をバランスさせることができる。このバランスは、再生熱交換器６から燃焼器２へ供給する高温湿分空気の分岐流路１１１に設けた流量調節機構３２を制御することで調整される。さらに、高圧タービン３Ｈの高温部の冷却に対して、低圧タービン３Ｌの高温部の冷却は、冷却空気の供給圧力とタービン作動圧力との圧力差が低圧タービン３Ｌの方が大きくなる。そのため、低圧タービンの高温部の冷却に加湿装置５からの湿分空気１０３をそのまま導入すると、低圧タービン翼の冷却流路内部で湿分空気が凝縮する可能性が大きくなる。そこで、再生熱交換器６から燃焼器２へ供給される高温湿分空気１０４の一部を低圧タービンの高温部の冷却用に設置された冷媒混合器４３に供給することで相対湿度を下げて、最適条件の冷却空気を生成し、高温部品の信頼性を確保しつつ圧縮機１と高圧タービン３Ｈの出力のバランスを保持できる。また、図３に示すガスタービンでは図２のものと同様に、圧縮機１に発電機８を設置して高圧タービンの出力を消費できるように構成している。そのため、圧縮機１の駆動力と高圧タービン３Ｈの出力をバランスさせて２軸ガスタービンを安定に運転することができる。
【００５２】
図３で示した本実施例のガスタービンでは、高圧タービン側に関しては、シンプルサイクルガスタービンと高湿分利用ガスタービンシステムで共通化が可能であるため、高温部品であるタービン翼の開発・製作コスト，部品管理コストを低減できる。一方、シンプルサイクルにおいて低圧タービンが無冷却であって、高湿分利用ガスタービンシステムで燃焼温度を上げて出力と効率を向上させて運転する場合、低圧タービンの高温部品は冷却可能な構造に変更する必要がある。
【実施例４】
【００５３】
次に、図４を用いて実施例４について説明する。図４は本発明の実施例４である高湿分利用２軸ガスタービンの全体構成を示すシステム構成図である。図１と共通する、再生熱交換器６よりも下流の排気ガス系統図は省略してある。
【００５４】
図４のガスタービンにおいて図１のものと異なる点は、高圧タービン３Ｈの高温部の静止側の冷却に加えて、回転側にも冷却空気を供給していることである。加湿装置５から再生熱交換器６へ供給される湿分空気１０３の一部を、高圧タービン３Ｈの冷却媒体として分岐し、さらに静止側に冷却媒体を供給する流路１１２，１１３と回転側に供給する流路１１５とに分配している。各冷却媒体供給流路には、高圧タービン３Ｈの静止体の高温部に冷媒を供給する冷媒混合器４１，４２と、高圧タービン３Ｈの回転体の高温部に冷媒を供給する冷媒混合器４４を設置している。再生熱交換器６から燃焼器２へ供給される高温湿分空気１０４の一部を分岐して、各冷媒混合器へ分岐空気を供給できる分岐流路１１１も有している。
【００５５】
再生熱交換器６から燃焼器２へ供給される高温湿分空気１０４の一部を分岐流路１１１により分岐し、分岐流路１１１に設けられた流量調節機構３２を制御することで、高圧タービン３Ｈの回転側の冷却用に設けられた冷媒混合器４４へ供給する流量を制御する。これにより、燃焼器２へ供給される高温湿分空気量を低減させて圧縮機と高圧タービン出力をバランス調節できる。そうすると、２軸ガスタービンでも高湿分利用ガスタービンシステムを安定して運転できる。加えて、再生熱交換器６から燃焼器２へ供給される高温湿分空気の一部を、分岐流路により高圧タービン３Ｈの回転側の冷却用に設けられた冷媒混合器４４へ供給している。このようにすると、高圧タービン３Ｈの静止側回転体と異なる冷却空気条件に設定することが可能であり、高圧タービン３Ｈの高温部品の信頼性を確保できる。
【００５６】
また、高圧タービン３Ｈの回転側の冷却空気に湿分空気を適用したことで、熱伝達率が大きくなって冷却効率が向上し、冷却媒体を低減できる。これによりガスタービンの効率向上が可能である。
【実施例５】
【００５７】
以下、実施例５−７として、本発明を高湿分ガスタービン以外のガスタービンに適用した例について説明する。
【００５８】
まずは図６を用いて本発明の実施例５について説明する。
【００５９】
図１に示した先の実施例の高湿分ガスタービンシステムでは、高温部の冷却に使用する流体は高温湿分空気１０４の一部を分岐させた流路１１０を流れる空気であった。これに対し、蒸気発生源を近傍に持つガスタービンシステムにおいては、高温湿分空気１０４の代わりに蒸気を利用することも考えられる。
【００６０】
そこで実施例５の２軸式ガスタービンにおいては、蒸気注入手段としてガスタービンとは別置のボイラ１６０を用いるように構成した。
【００６１】
図６にボイラ１６０によって生成した蒸気を高圧タービン３Ｈの高温部の冷却に用いるガスタービンシステムの全体構成を表すシステム構成図を示す。同符号は他の実施例と同様の機器を示すものとする。
【００６２】
図６に示した２軸式ガスタービンにおいて、圧縮機１で圧縮された圧縮空気２０４は燃焼器２に供給される。燃焼器２で発生した高温の燃焼ガスは高圧タービン３Ｈ及び低圧タービン３Ｌに順次供給されて前記高圧タービン３Ｈ及び低圧タービン３Ｌを駆動する。
【００６３】
別置のボイラ１６０で生成された蒸気２０５は燃焼器２へ供給されるが、その一部は分岐流路１１１を介して、高圧タービン３Ｈの高温部冷却用の冷媒の流路に設けられた冷媒混合器４１，４２に供給される。この冷媒混合器４１，４２には、圧縮機１の吐出空気や抽気空気、ボイラ１６０とは別の蒸気源からの蒸気などを供給してもよい。冷媒混合器４１，４２は、ボイラ１６０からの蒸気を様々な流体と混合させることで、高圧タービン３Ｈ高温部の冷却に適した冷媒を供給することができる。
【００６４】
本実施例でボイラ１６０から燃焼器２に供給される蒸気２０５は、図１に示した実施例１における、高温湿分空気１０４に一部対応するものである。蒸気２０５は、実施例１における加湿装置５で加湿された分の水分というとらえ方もできる。
【００６５】
ところで本実施例で高圧タービン３Ｈの高温部に用いられる蒸気は、空気に比べて熱伝達係数が高いため、冷却効果が高くなる。このため、図１に示した先の実施例での流路１１０を流れる増湿空気の代わりにこの分岐蒸気１２０を使用することで、高圧タービン３Ｈを構成する材料として耐熱温度の低い低級材を使用することができ、２軸式ガスタービンの製造コストを低減することができる。
【００６６】
本実施例のガスタービンは、燃焼器中に蒸気を注入するシステムを２軸式ガスタービンに適用した場合に、注入蒸気の一部を高圧タービン３Ｈの高温部に供給可能に構成している。このような構成によりガスタービンの効率向上を図ると共に、圧縮機駆動力と高圧タービン出力をバランスさせてガスタービンを安定に運転する信頼性を向上した２軸式ガスタービンが実現できる。
【００６７】
また、図６においては、ガスタービンとは別に設置されたボイラ１６０で発生した蒸気を燃焼器およびガスパスに供給する例を示したが、この蒸気発生源は、ガスタービンの排ガスの熱量を利用した排熱回収ボイラ等でも構わない。蒸気を使用する各種プラント等において、蒸気使用量の変動がある際に、余剰の蒸気をガスタービンに注入することで熱効率を向上させることができるが、２軸式ガスタービンを適用する際には、本発明によって、圧縮機駆動力と高圧タービン出力をバランスさせてガスタービンを安定に運転することができる。
【実施例６】
【００６８】
次に、本発明を、別のガスタービンシステムに適用した実施例６である２軸式ガスタービンについて図７を用いて説明する。図７は石炭ガス化ガスを発生させる際に生成した窒素を低圧タービン３Ｌの上流側に注入するガスタービンシステムの全体構成を表すシステムフロー図を示す。
【００６９】
図７に示した本実施例の２軸式ガスタービンでは、図６に示した実施例５のガスタービンシステムと共通する構成は説明を省略している。
【００７０】
図７に示した２軸式ガスタービンにおいて、圧縮機１とは別の別置圧縮機（図示省略）等で圧縮されたガス化用空気２０２は空気分離器２２１に供給され、空気分離器２２１で酸素２２２と窒素２２３に分離される。酸素２２２はガス化炉２２４へ導かれ、石炭２２５とともに、ガス化炉２２４内で石炭ガス化ガス２２６を発生する。発生した石炭ガス化ガス２２６はガスタービンの燃料２００として使用される。
【００７１】
一方、空気分離器２２１で分離された窒素２２３は、燃焼器２へ注入される。これにより、燃焼器内の局所的な火炎温度を低下させ、燃焼器内で生成する窒素酸化物（ＮＯｘ）の排出量を低減することができる。
【００７２】
しかし、本システムでは燃焼器内に窒素を注入することによって、高圧タービン３Ｈを駆動する作動流体の流量が増加するため、高圧タービン３Ｈの出力が増加し、このままでは高圧タービンおよび圧縮機１が過回転となってしまう。本実施例では、窒素２２３の一部が、流量調節弁である分岐流量調節機構１９を備えた分岐流路１１１を通じて分岐窒素２２７として前記高圧タービン３Ｈ高温部に供給されるようになっている。
【００７３】
即ち、本実施例で燃焼器２や低圧タービン３Ｈの高温部に供給される窒素２２３は、図６に示した実施例５における、ボイラ１６０から供給される蒸気２５０に対応するものである。また、窒素２２３は圧縮空気２０４に比べて温度が低いので冷却効果が高くなる。したがって、本実施例のガスタービンでも実施例５のガスタービン同様、圧縮機駆動力と高圧タービン出力をバランスさせてガスタービンを安定に運転することができる。
【００７４】
ところで本実施例の分岐窒素１２７として用いられる、この分岐窒素１２７が流れる近傍の低圧タービン３Ｌの材料温度を低下させることができる。また、タービン材の材料として耐熱温度の低い低級材を使用することができ、２軸式ガスタービンの製造コストを低減することができる。
【実施例７】
【００７５】
最後に、本発明を、さらに別のガスタービンシステムに適用した第７実施例である２軸式ガスタービンについて図８を用いて説明する。図８に、低カロリーガスをガスタービン燃焼器２の燃料２００として使用する際に、圧縮空気の一部を低圧タービン３Ｌの上流側に注入するガスタービンシステムの全体構成を表すシステムフロー図を示す。
【００７６】
図８に示した本実施例の発電用の２軸式ガスタービンでは、図１に示した実施例１の高湿分ガスタービンシステムと共通する構成は説明を省略する。
【００７７】
図８に示した発電用の２軸式ガスタービンにおいては、燃料２００として低カロリーガスを利用している。低カロリーガスは、天然ガスなどの通常のガス燃料と比べて、発熱量が１／２以下、さらに低いものでは１／１０程度しかない。そのため、ガスタービンを所定の定格燃焼ガス温度で運転するためには、燃料を多量に供給しなければならない。
【００７８】
しかし、燃焼器２内に燃料２００を多量に供給することによって、高圧タービン３Ｈを駆動する作動流体の流量が増加する。そうすると高圧タービンの出力が増加し、このままでは高圧タービンおよび圧縮機１が過回転となってしまいバランスがくずれてしまう。本実施例では、燃料として低カロリーガスを用いた２軸ガスタービンにおいて、圧縮機１で圧縮された圧縮空気２０４の一部が、燃焼器２に供給される前に、流量調節弁である分岐流量調節機構３２を備えた分岐流路１１１を通じて高圧タービン３Ｈに供給するよう構成されている。
【００７９】
即ち、本実施例で低圧タービン３Ｌの上流側からガスパスに供給される圧縮空気２０４は、図１に示した実施例１において再生熱交換器から燃焼器２や高圧タービン３Ｈの高温部に供給される高温湿分空気１０４に対応するものである。
【００８０】
かくして上述の各実施例のガスタービン同様、低カロリーガス焚きガスタービンシステムに２軸ガスタービンを使用する際にも、本発明によって、圧縮機駆動力と高圧タービン出力をバランスさせてガスタービンを安定に運転することができる。
【００８１】
ところで、低カロリーガスは、例えば空気を用いて石炭をガス化するプラントや、製鉄所，製油所などの各種プラントから発生するものが考えられる。また、油田やガス田などから副生的に発生するものも考えられる。これらの低カロリーガスは、その発生源の運転状況や季節変化などによって、燃料発熱量が変動することが考えられる。そのような場合にも、発熱量が大きい場合は分岐弁である分岐流量調節機構３２の開度によって、分岐空気２２９の流量を調整すれば、圧縮機１の駆動力と高圧タービン出力をバランスさせてガスタービンを安定に運転することができる。なお、媒体供給手段４００から冷媒混合手段４１，４２に冷媒を供給して分岐圧縮空気２２９と混合し、適切な性状の冷媒を高温部に供給できるようにしてもよい。
【００８２】
以上説明した実施例５−７では、実施例１に対応した作用効果を中心に説明した。しかし、実施例５−７それぞれのガスタービンに、実施例２−４に対応した構成を適宜組み合わせることも有用である。すなわち、実施例５−７のガスタービンにおいても、実施例２−４を用いて説明した作用効果を得ることができる。
【産業上の利用可能性】
【００８３】
高効率ガスタービンとして発電用として利用できるほか、熱と電力を併給可能なコジェネレーションシステム、あるいはポンプ，圧縮機，スクリューなどの機械駆動用エンジンとしても適用可能である。
【符号の説明】
【００８４】
１  圧縮機
２  燃焼器
３Ｈ  高圧タービン
３Ｌ  低圧タービン
４  冷却器
５  加湿装置
６  再生熱交換器
７，８  発電機
２０Ｈ，２０Ｌ  軸
３１  燃料調節機構
３２  流量調節機構
４１〜４４  冷媒混合器
１００  大気空気
１０３  湿分空気
１０４  高温湿分空気
１１０，１１１，１１２，１１３，１１４，１１５  流路
【図１】
2010209808.tif 000003
【図２】
2010209808.tif 000004
【図３】
2010209808.tif 000005
【図４】
2010209808.tif 000006
【図５】
2010209808.tif 000007
【図６】
2010209808.tif 000008
【図７】
2010209808.tif 000009
【図８】
2010209808.tif 000010